(57)【要約】【課題】腰が強くカーペット等に擦り付けた場合に抜け毛を引き剥がすのに十分な摩擦力が生じ、しかも抜け毛を絡み取る機能にも優れた毛取り具を提供する。【解決手段】２種類のスポンジを積層し、一のエッジが鋭角な台形に打ち抜いて製造される２層構造の毛取り具１０において、一層１０ａを、セル数が６〜１０個／ｍｍ連続気泡のスポンジから形成し、他層１０ｂを、ゴムを含有する独立気泡のスポンジから形成する。毛取り具の積層面１０ｄを、一層１０ａが他層１０ｂより先行する向きにカーペット２０に擦り付けると、粘りがあり、腰の強い他層１０ｂの存在により、積層面１０ｄに大きな摩擦力が生じるため、カーペット２０に付着した抜け毛３０が効率よく引き剥がされる。そして、このようにして引き剥がされた抜け毛３０は、内部まで空隙が連通し、セルの大きな一層１０ａにより効率よく絡み取られる。なお、部屋の隅を掃除する際には、鋭角なエッジを隅に当接させると、壁面の出っ張り等が邪魔にならず便利である。【選択図】図２
0003116863.tif 000002
【実用新案登録請求の範囲】
【請求項１】
複数種類のスポンジを積層した多層構造の毛取り具において、一の最外層１０ａを連続気泡のスポンジから形成し、他の最外層１０ｂを独立気泡のスポンジから形成したことを特徴とする毛取り具。
【請求項２】
上記一の最外層１０ａを形成するスポンジのセル数は、６〜１０個／ｍｍであることを特徴とする請求項１に記載の毛取り具。
【請求項３】
上記他の最外層１０ｂを形成するスポンジは、少なくともゴムを含有することを特徴とする請求項１または２に記載の毛取り具。
【請求項４】
外面に一または複数のエッジを形成し、少なくとも一つのエッジ１０ｃを鋭角に形成したことを特徴とする請求項１から３のいずれかに記載の毛取り具。
【考案の詳細な説明】
【技術分野】
【０００１】
この考案は、カーペット等に付着したペット等の抜け毛を除去する毛取り具に関する。
【背景技術】
【０００２】
カーペット、ソファー、衣類等に付着したペット等の抜け毛を除去するため、スポンジ製の毛取り具が従来から提案されている。このような毛取り具は、カーペット等に擦り付けて用い、摩擦力を利用して抜け毛を引き剥がし、絡み取るものである。これらは、粘着テープ等と異なり、繰り返し使用することができ、ブラシ等と異なり、構造が簡単であり製造コストが安価であるため、広く用いられている。
【０００３】
このような毛取り具の一の例として、特許文献１には、連続気泡のスポンジのみから形成される毛取り具が記載されている。また、このような毛取り具の他の例として、特許文献２には、独立気泡のスポンジのみから形成される毛取り具が記載されている。
【０００４】
しかし、特許文献1に記載の毛取り具の場合、連続気泡のスポンジのみから形成されているため、腰が弱い。そのため、カーペット等に擦り付けても抜け毛をカーペット等から引き剥がすのに十分な摩擦力が生じない。
【０００５】
一方、特許文献２に記載の毛取り具の場合、独立気泡のスポンジのみから形成されているため、腰は強いがセルが内部にまで連通していない。そのため、抜け毛を絡み取る機能が不十分である。
【特許文献１】特開２００５−１４３８７０号公報
【特許文献２】特開２００１−３７６９６号公報
【考案の開示】
【考案が解決しようとする課題】
【０００６】
そこでこの考案の解決すべき課題は、腰が強くカーペット等に擦り付けた場合に抜け毛を引き剥がすのに十分な摩擦力が生じ、しかも抜け毛を絡み取る機能にも優れた毛取り具を提供することである。
【課題を解決するための手段】
【０００７】
上記した課題を解決するため、この考案は、複数種類のスポンジを積層した多層構造の毛取り具において、一の最外層を連続気泡のスポンジから形成し、他の最外層を独立気泡のスポンジから形成したのである。
【０００８】
このような毛取り具の積層面を、一の最外層が他の最外層より先行する向きにカーペット等に擦り付けると、腰の強い他の最外層の反発力により、積層面に大きな摩擦力が生じるため、カーペット等に付着した抜け毛が効率よく引き剥がされる。そして、このようにして引き剥がされた抜け毛は、内部までセルが連通する一の最外層により効率よく絡み取られる。
【０００９】
この毛取り具において、さらに、一の最外層を形成するスポンジのセル数を６〜１０個／ｍｍとすると、スポンジの目の粗さを、抜け毛を絡み取るのに好適なものとすることができる。
【００１０】
この毛取り具において、さらに、他の最外層を形成する独立気泡のスポンジにゴムを含有させると、毛取り具の粘りが増し、摩擦力がさらにアップするため、抜け毛を引き剥がす効率が向上する。
【００１１】
この毛取り具の外面に一または複数のエッジを形成するとともに、その少なくとも一つを鋭角に形成すると、部屋の隅などの抜け毛が溜まりやすい部分に、毛取り具の鋭角なエッジをフィットさせることができるため、隅の拭き残しが無くなる。
【考案の効果】
【００１２】
腰の強い独立気泡のスポンジからなる最外層が、腰の弱い連続気泡のスポンジからなる最外層を受け支えることにより、積層面に大きな摩擦力が生じるため、効率的に抜け毛を引き剥がすことができる。そして、引き剥がした抜け毛は、内部までセルが連通する連続気泡のスポンジからなる最外層で、効率的に絡み取るため、一挙動で抜け毛をカーペット等から除去することが容易となる。
【考案を実施するための最良の形態】
【００１３】
以下、図面を参照しつつこの考案の実施形態について説明する。まず、図１を参照しつつ、考案にかかる毛取り具１０の構造及び製法を説明し、ついで、図２及び図３を参照しつつ、使用方法について説明する。
【００１４】
図1のように、毛取り具１０は、ブロック状の外形をしており、連続気泡のスポンジからなる一層１０ａと、独立気泡のスポンジからなる他層１０ｂの２層構造からなる。一層１０ａは例えばポリウレタンを発泡させ、脱膜処理を施して形成されており、他層１０ｂは例えばポリエチレンとゴムとの混合物を発泡させ、脱膜処理を施すことなく形成されている。これら合成樹脂や天然樹脂等の発泡によるスポンジの形成は公知の製法が採用される。
【００１５】
図示のようにこの毛取り具１０は、平面視台形であって４つのエッジのうち、１つのエッジ１０ｃが鋭角に形成されている。また、この毛取り具１０は、上述したようにして製造された、セル数が６〜１０／ｍｍの連続気泡のスポンジシートと、独立気泡のスポンジシートとを重ね合わせ、熱融着等して接着したものを台形に打ち抜いて製造される。打ち抜きによる裁断面は、２層が積層した積層面１０ｄとなる。抜け毛取りに用いるのは、主としてこの積層面１０ｄである。
【００１６】
毛取り具１０を用いる際には、図２（ａ）、（ｂ）のように、積層面１０ｄを一層１０ａが他層１０ｂより先行する向きにカーペット２０に擦り付ける。
【００１７】
するとまず、図２（ａ）のように、連続気泡のスポンジからなる腰の弱い一層１０ａが撓もうとするところを、独立気泡のスポンジからなり、ゴムを含有することにより粘りが付与された、腰の強い他層１０ｂが受け支え、反発することにより、積層面１０ｄに大きな摩擦力が生じ、カーペット２０に付着した抜け毛３０が引き剥がされる。
【００１８】
つぎに、図２（ｂ）のように、引き剥がされた抜け毛３０は、内部まで空隙が連通する連続気泡のスポンジからなる一層１０ａに絡み取られる。このとき、一層１０ａのセル数は６〜１０／ｍｍと非常に目が粗いため、抜け毛３０の絡み取りの効率が非常によいものとなる。
【００１９】
また、図３のように、抜け毛３０が溜まりやすい部屋の隅を掃除する際には、鋭角のエッジ１０ｃを用いると、壁面の出っ張り４０等が邪魔にならず、部屋の隅に積層面１０ｄをフィットさせることができ、容易に毛取り掃除を行うことができる。
【００２０】
なお、上述したように、毛取り具１０の積層面１０ｄを用いると、一挙動で抜け毛３０のカーペット２０からの引き剥がしと絡み取りとを同時に行うことができるため効率がよいが、無論、毛取り具１０の積層面１０ｄ以外を用いて毛取り掃除をすることもできる。その場合には、まず、他層１０ｂの積層面１０ｄ以外の外面をカーペット２０に擦り付け、抜け毛３０を引き剥がしておき、次いで一層１０ａの積層面１０ｄ以外の外面をカーペット２０に擦り付け、抜け毛３０を絡み取るとよい。
【図面の簡単な説明】
【００２１】
【図１】毛取り具の斜視図
【図２】（ａ）は毛取り具がカーペットから抜け毛を引き剥がした図、（ｂ）は毛取り具が引き剥がした抜け毛を絡み取った図
【図３】部屋の隅を掃除する際の毛取り具の使用状態図
【符号の説明】
【００２２】
１０  毛取り具
１０ａ  一層
１０ｂ  他層
１０ｃ  鋭角のエッジ
１０ｄ  積層面
２０  カーペット
３０  抜け毛
４０  壁面の出っ張り
【図１】
0003116863.tif 000003
【図２】
0003116863.tif 000004
【図３】
0003116863.tif 000005